(57)【要約】【課題】ユーザーが目的外の選択項目を選択した場合でもスムーズに入力操作を行える入力装置、入力方法、および入力プログラムを提供する。【解決手段】入力装置（画像形成装置）は、表示画面に複数の選択項目を表示し、ユーザーのタッチによる入力を受け付ける表示操作部６０と、複数の選択項目のうち、少なくとも二つの選択項目に跨がって、または、少なくとも二つの選択項目間に、ユーザーがタッチした場合、当該少なくとも二つの選択項目のそれぞれに対応する複数の入力候補群を、表示操作部６０の表示画面上に展開する展開部６３と、展開部６３により複数の入力候補群が展開された状態において、ユーザーによるタッチの位置が移動すると、当該移動動作に応じて、入力候補群から一つの入力候補を入力として決定する決定部７０と、を備える。【選択図】図２
2015146082.tif 000002
【特許請求の範囲】
【請求項１】
表示画面に複数の選択項目を表示し、ユーザーのタッチによる入力を受け付ける表示操作部と、
前記複数の選択項目のうち、少なくとも二つの選択項目に跨がって、または、少なくとも二つの選択項目間に、前記ユーザーがタッチした場合、当該少なくとも二つの選択項目のそれぞれに対応する複数の入力候補群を、前記表示操作部の表示画面上に展開する展開部と、
前記展開部により前記複数の入力候補群が展開された状態において、前記ユーザーによるタッチの位置が移動すると、当該移動動作に応じて、前記入力候補群から一つの入力候補を入力として決定する決定部と、
を備える入力装置。
【請求項２】
前記決定部は、前記ユーザーによる単一の移動動作により、前記一つの入力候補を入力として決定する、請求項１に記載の入力装置。
【請求項３】
前記決定部は、
前記ユーザーによる第一の移動動作により、前記複数の入力候補群の中から一つの入力候補群を選択し、
前記ユーザーによる第二の移動動作により、前記一つの選択候補群の中から前記一つの入力候補を入力として決定する、請求項１に記載の入力装置。
【請求項４】
前記展開部は、前記第一の移動動作により選択された入力候補群の表示形態と、前記第一の移動動作により選択されなかった入力候補群の表示形態とを異ならせる、請求項３に記載の入力装置。
【請求項５】
前記展開部は、前記第一の移動動作により選択された入力候補群の表示濃度を、前記第一の移動動作により選択されなかった入力候補群の表示濃度よりも濃くする、請求項４に記載の入力装置。
【請求項６】
前記展開部は、前記第一の移動動作により選択された入力候補群の表示サイズを、前記第一の移動動作により選択されなかった入力候補群の表示サイズよりも大きくする、請求項４または５に記載の入力装置。
【請求項７】
前記展開部は、前記第一の移動動作により選択されなかった入力候補群のみをグレイアウト表示する、請求項４〜６のいずれか一項に記載の入力装置。
【請求項８】
前記決定部は、前記ユーザーによる特定の移動動作により、前記一つの入力候補の入力をキャンセルする、請求項１〜７のいずれか一項に記載の入力装置。
【請求項９】
前記特定の移動動作には、前記ユーザーによるタッチの位置の移動距離が所定量以上となる移動動作が含まれる、請求項８に記載の入力装置。
【請求項１０】
前記特定の移動動作には、前記ユーザーによるタッチの位置を、前記表示画面の所定位置に表示されたキャンセルボタンに向けて移動させる移動動作が含まれる、請求項８に記載の入力装置。
【請求項１１】
表示画面に複数の選択項目を表示し、ユーザーのタッチによる入力を受け付ける表示操作ステップと、
前記複数の選択項目のうち、少なくとも二つの選択項目に跨がって、または、少なくとも二つの選択項目間に、前記ユーザーがタッチした場合、当該少なくとも二つの選択項目のそれぞれに対応する複数の入力候補群を、前記表示画面上に展開する展開ステップと、
前記展開ステップにおいて前記複数の入力候補群が展開された状態において、前記ユーザーによるタッチの位置が移動すると、当該移動動作に応じて、前記入力候補群から一つの入力候補を入力として決定する決定ステップと、
を含む入力方法。
【請求項１２】
前記決定ステップは、前記ユーザーによる単一の移動動作により、前記一つの入力候補を入力として決定する、請求項１１に記載の入力方法。
【請求項１３】
前記決定ステップは、
前記ユーザーによる第一の移動動作により、前記複数の入力候補群の中から一つの入力候補群を選択し、
前記ユーザーによる第二の移動動作により、前記一つの選択候補群の中から前記一つの入力候補を入力として決定する、請求項１１に記載の入力方法。
【請求項１４】
コンピューターに、
（ａ）表示画面に複数の選択項目を表示し、ユーザーのタッチによる入力を受け付ける手順と、
（ｂ）前記複数の選択項目のうち、少なくとも二つの選択項目に跨がって、または、少なくとも二つの選択項目間に、前記ユーザーがタッチした場合、当該少なくとも二つの選択項目のそれぞれに対応する複数の入力候補群を、前記表示画面上に展開する手順と、
（ｃ）前記手順（ｂ）において前記複数の入力候補群が展開された状態において、前記ユーザーによるタッチの位置が移動すると、当該移動動作に応じて、前記入力候補群から一つの入力候補を入力として決定する手順と、
を実行させるための入力プログラム。
【請求項１５】
前記手順（ｃ）は、前記ユーザーによる単一の移動動作により、前記一つの入力候補を入力として決定する、請求項１４に記載の入力プログラム。
【請求項１６】
前記手順（ｃ）は、
前記ユーザーによる第一の移動動作により、前記複数の入力候補群の中から一つの入力候補群を選択し、
前記ユーザーによる第二の移動動作により、前記一つの選択候補群の中から前記一つの入力候補を入力として決定する、請求項１４に記載の入力プログラム。
【発明の詳細な説明】
【技術分野】
【０００１】
本発明は、入力装置、入力方法、および入力プログラムに関する。
【背景技術】
【０００２】
画像形成装置などの電子機器の中には、ユーザーからの入力操作をタッチパネルにより受け付けるものがある。近年、画像形成装置の小型化に伴って、タッチパネルの小型化も進んでいる。
【０００３】
しかし、タッチパネルの小型化が進むと、ユーザーが入力操作を行う際にタッチする選択項目（ボタン等）の表示サイズを十分に確保できなくなる。また、複数の選択項目を並べて表示する場合においては、選択項目間の隙間についても十分に確保できなくなる。このとき、ユーザーが目的としていた選択項目に正確にタッチしにくい場合がある。
【０００４】
特に日本語入力の場合、平仮名の総数がアルファベットの総数よりも多いので、タッチパネル内全ての片仮名を配置すると、誤入力が多くなってしまう。そこで、タッチパネル内に、「あ」、「か」、「さ」、「た」、「な」等のあ段の文字を表示する入力画面が知られている。
【０００５】
この入力画面では、選択項目として、あ段の文字が表示され、ユーザーが任意の文字を選択すると、その文字と同じ行に属する残りのい段、う段、え段、お段の文字が、入力候補として表示される。たとえば、選択項目から、「あ」が選択されると、「あ」と共に、「い」、「う」、「え」、「お」が入力候補として表示される。ユーザーは、入力候補から任意の文字を選択して、入力を確定できる。
【０００６】
以上のような入力画面では、選択項目を選択する際に、目的外の選択項目に最初にタッチしてしまうと、これを訂正するために、改めて目的の選択項目を選択し直す必要がある。
【０００７】
そこで、ユーザーがなるべく正確に目的の選択項目を選択できるように、指でタッチされた位置の周辺に存在する選択項目を拡大表示する技術が開発されている（たとえば、特許文献１）。
【先行技術文献】
【特許文献】
【０００８】
【特許文献１】特開２００８−０６５５０４号公報
【発明の概要】
【発明が解決しようとする課題】
【０００９】
しかし、タッチパネルの小型化がさらに進むと、拡大表示してもなおユーザーが目的外の選択項目を選択してしまう虞がある。
【００１０】
本発明は、上記事情に鑑みてなされたものであり、ユーザーが目的外の選択項目を選択した場合でもスムーズに入力操作を行える入力装置、入力方法、および入力プログラムを提供することを目的とする。
【課題を解決するための手段】
【００１１】
（１）表示画面に複数の選択項目を表示し、ユーザーのタッチによる入力を受け付ける表示操作部と、前記複数の選択項目のうち、少なくとも二つの選択項目に跨がって、または、少なくとも二つの選択項目間に、前記ユーザーがタッチした場合、当該少なくとも二つの選択項目のそれぞれに対応する複数の入力候補群を、前記表示操作部の表示画面上に展開する展開部と、前記展開部により前記複数の入力候補群が展開された状態において、前記ユーザーによるタッチの位置が移動すると、当該移動動作に応じて、前記入力候補群から一つの入力候補を入力として決定する決定部と、を備える入力装置。
【００１２】
（２）前記決定部は、前記ユーザーによる単一の移動動作により、前記一つの入力候補を入力として決定する、上記（１）に記載の入力装置。
【００１３】
（３）前記決定部は、前記ユーザーによる第一の移動動作により、前記複数の入力候補群の中から一つの入力候補群を選択し、前記ユーザーによる第二の移動動作により、前記一つの選択候補群の中から前記一つの入力候補を入力として決定する、上記（１）に記載の入力装置。
【００１４】
（４）前記展開部は、前記第一の移動動作により選択された入力候補群の表示形態と、前記第一の移動動作により選択されなかった入力候補群の表示形態とを異ならせる、上記（３）に記載の入力装置。
【００１５】
（５）前記展開部は、前記第一の移動動作により選択された入力候補群の表示濃度を、前記第一の移動動作により選択されなかった入力候補群の表示濃度よりも濃くする、上記（４）に記載の入力装置。
【００１６】
（６）前記展開部は、前記第一の移動動作により選択された入力候補群の表示サイズを、前記第一の移動動作により選択されなかった入力候補群の表示サイズよりも大きくする、上記（４）または（５）に記載の入力装置。
【００１７】
（７）前記展開部は、前記第一の移動動作により選択されなかった入力候補群のみをグレイアウト表示する、上記（４）〜（６）のいずれかに記載の入力装置。
【００１８】
（８）前記決定部は、前記ユーザーによる特定の移動動作により、前記一つの入力候補の入力をキャンセルする、上記（１）〜（７）のいずれかに記載の入力装置。
【００１９】
（９）前記特定の移動動作には、前記ユーザーによるタッチの位置の移動距離が所定量以上となる移動動作が含まれる、上記（８）に記載の入力装置。
【００２０】
（１０）前記特定の移動動作には、前記ユーザーによるタッチの位置を、前記表示画面の所定位置に表示されたキャンセルボタンに向けて移動させる移動動作が含まれる、上記（８）に記載の入力装置。
【００２１】
（１１）表示画面に複数の選択項目を表示し、ユーザーのタッチによる入力を受け付ける表示操作ステップと、前記複数の選択項目のうち、少なくとも二つの選択項目に跨がって、または、少なくとも二つの選択項目間に、前記ユーザーがタッチした場合、当該少なくとも二つの選択項目のそれぞれに対応する複数の入力候補群を、前記表示画面上に展開する展開ステップと、前記展開ステップにおいて前記複数の入力候補群が展開された状態において、前記ユーザーによるタッチの位置が移動すると、当該移動動作に応じて、前記入力候補群から一つの入力候補を入力として決定する決定ステップと、を行う入力方法。
【００２２】
（１２）前記決定ステップは、前記ユーザーによる単一の移動動作により、前記一つの入力候補を入力として決定する、上記（１１）に記載の入力方法。
【００２３】
（１３）前記決定ステップは、前記ユーザーによる第一の移動動作により、前記複数の入力候補群の中から一つの入力候補群を選択し、前記ユーザーによる第二の移動動作により、前記一つの選択候補群の中から前記一つの入力候補を入力として決定する、上記（１１）に記載の入力方法。
【００２４】
（１４）コンピューターに、（ａ）表示画面に複数の選択項目を表示し、ユーザーのタッチによる入力を受け付ける手順と、（ｂ）前記複数の選択項目のうち、少なくとも二つの選択項目に跨がって、または、少なくとも二つの選択項目間に、前記ユーザーがタッチした場合、当該少なくとも二つの選択項目のそれぞれに対応する複数の入力候補群を、前記表示画面上に展開する手順と、（ｃ）前記手順（ｂ）において前記複数の入力候補群が展開された状態において、前記ユーザーによるタッチの位置が移動すると、当該移動動作に応じて、前記入力候補群から一つの入力候補を入力として決定する手順と、を実行させるための入力プログラム。
【００２５】
（１５）前記手順（ｃ）は、前記ユーザーによる単一の移動動作により、前記一つの入力候補を入力として決定する、上記（１４）に記載の入力プログラム。
【００２６】
（１６）前記手順（ｃ）は、前記ユーザーによる第一の移動動作により、前記複数の入力候補群の中から一つの入力候補群を選択し、前記ユーザーによる第二の移動動作により、前記一つの選択候補群の中から前記一つの入力候補を入力として決定する、上記（１４）に記載の入力プログラム。
【発明の効果】
【００２７】
本発明によれば、複数の選択項目に跨ってタッチされた場合には、タッチされた複数の選択項目に対応する入力候補群をそれぞれ展開する。そのため、展開された入力候補群の中に目的の入力候補が存在しないというケースは起こりにくく、目的の入力候補を複数の入力候補群の中から確実に選択できる。したがって、画像形成装置に用いられる表示画面等の小型化に伴って、選択項目の表示サイズを小さくせざるを得ない場合や、選択項目を配置する間隔を狭くせざるを得ない場合でも、ユーザーはタッチのやり直し等を行うことなくスムーズに入力操作を行える。
【図面の簡単な説明】
【００２８】
【図１】画像形成装置のハードウェア構成例を示すブロック図である。
【図２】画像形成装置の機能構成例を示すブロック図である。
【図３】文字入力処理の手順を示すフローチャートである。
【図４Ａ】初期状態の入力画面例である。
【図４Ｂ】一つの選択項目にタッチする操作がなされたときの入力画面例である。
【図４Ｃ】複数の選択項目に跨ってタッチする操作がなされたときの入力画面例である。
【図４Ｄ】一つの入力候補群の中から一つの入力候補を選択する操作がなされたときの入力画面例である。
【図４Ｅ】入力文字が決定したときの入力画面例である。
【図５】第１実施形態に係る複数候補群表示処理の手順を示すフローチャートである。
【図６Ａ】複数の入力候補群の中から一つの入力候補を選択する操作がなされたときの入力画面例である。
【図６Ｂ】入力文字が決定したときの入力画面例である。
【図７】第２実施形態に係る複数候補群表示処理の手順を示すフローチャートである。
【図８Ａ】複数の選択項目に跨ってタッチする操作がなされたときの入力画面例である。
【図８Ｂ】一つの入力候補群を選択する操作がなされたときの入力画面例である。
【図８Ｃ】選択された一つの入力候補群の中から一つの入力候補を選択する操作がなされたときの入力画面例である。
【図８Ｄ】入力文字が決定したときの入力画面例である。
【図９Ａ】入力のキャンセル方法１について説明するための図である。
【図９Ｂ】キャンセル後の入力画面例である。
【図１０】入力のキャンセル方法２について説明するための図である。
【図１１Ａ】選択された入力候補群の表示濃度を濃くしたときの入力画面例である。
【図１１Ｂ】選択された入力候補群の表示サイズを大きくしたときの入力画面例である。
【図１２Ａ】入力候補群の変形例１を示す図である。
【図１２Ｂ】変形例１の入力候補群の中から一つの入力候補を選択するときの入力画面例である。
【図１３Ａ】入力候補群の変形例２を示す図である。
【図１３Ｂ】変形例２の入力候補群の中から一つの入力候補を選択するときの入力画面例である。
【発明を実施するための形態】
【００２９】
（第１実施形態）
以下、添付した図面を参照して、本発明の第１実施形態を説明する。なお、図面の説明において同一の要素には同一の符号を付し、重複する説明を省略する。また、図面の寸法比率は、説明の都合上誇張されており、実際の比率とは異なる場合がある。
【００３０】
＜画像形成装置１＞
図１は、画像形成装置のハードウェア構成例を示すブロック図である。また、図２は、画像形成装置の機能構成例を示すブロック図である。
【００３１】
以下、図１、２を参照して、画像形成装置１の概略構成について説明する。
【００３２】
画像形成装置１は、印刷機能、コピー機能、スキャン機能、ファクシミリ機能等の少なくともいずれかを有するＭＦＰ（Ｍｕｌｔｉ−Ｆｕｎｃｔｉｏｎ  Ｐｅｒｉｐｈｅｒａｌ）である。ただし、本発明をＭＦＰに適用する代わりに、タブレット端末、スマートフォン、携帯電話、ＰＤＡ（Ｐｅｒｓｏｎａｌ  Ｄｉｇｉｔａｌ  Ａｓｓｉｓｔａｎｔ）等の携帯端末や、車載用のナビゲーション装置に適用してもよい。
【００３３】
また、画像形成装置１を入力装置と称してもよい。
【００３４】
以上のような画像形成装置１は、図１に示すように、制御装置１０と、ディスプレイ２０と、タッチパネル３０と、外部インターフェース（Ｉ／Ｆ）４０とを有し、これらは信号をやり取りするためのバス５０を介して相互に接続されている。
【００３５】
制御装置１０は、画像形成装置１全体を制御する。たとえば、制御装置１０は、ＣＰＵ（Ｃｅｎｔｒａｌ  Ｐｒｏｃｅｓｓｉｎｇ  Ｕｎｉｔ）１１と、メモリー１２と、ストレージ１３とを有する。
【００３６】
ＣＰＵ１１は、プログラムにしたがって上記各部の制御や各種の演算処理を実行するマルチコアのプロセッサ等から構成される制御回路であり、画像形成装置１の各機能は、それに対応するプログラムをＣＰＵ１１が実行することにより発揮される。
【００３７】
メモリー１２は、作業領域として一時的にプログラムおよびデータを記憶する高速アクセス可能な主記憶装置である。メモリー１２には、たとえば、ＤＲＡＭ（Ｄｙｍａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｍａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等が採用される。
【００３８】
ストレージ１３は、オペレーティングシステムを含む各種プログラムや各種データを格納する大容量の補助記憶装置である。ストレージ１３には、たとえば、ハードディスク、ソリッドステートドライブ、フラッシュメモリー、ＲＯＭ（Ｒｅａｄ  Ｏｎｌｙ  Ｍｅｍｏｒｙ）等が採用される。
【００３９】
ディスプレイ２０は、画像形成装置１を操作するために必要な情報や設定情報など、各種データを表示する。ディスプレイ２０には、たとえば、液晶ディスプレイ、有機ＥＬ（Ｅｌｅｃｔｒｏ−Ｌｕｍｉｎｅｓｃｅｎｃｅ）等が採用される。
【００４０】
タッチパネル３０は、ディスプレイ２０の表示面側に貼られた透過性のある操作パネルである。タッチパネル３０は、ディスプレイ２０に表示された画像のＸＹ座標と対応したタッチ位置を特定し、タッチ位置を座標に変換して出力する。なお、タッチパネル３０は、感圧式または静電式の入力検出素子などにより構成される。
【００４１】
また、タッチパネル３０への入力は、直観的なタッチ操作により行える。たとえば、ディスプレイ２０に表示されたキー（または、ボタン、アイコン、ツールバー、所定領域）の部分を指やスタイラス（ペン）でタッチする操作により入力が行える。また、指でタッチしている位置を移動（スライド）させる操作や、クリック、ドラッグ、スクロール、ピンチアウト、ピンチインといった操作による入力も行える。
【００４２】
外部Ｉ／Ｆ４０は、外部機器（たとえば、一般的なコンピューター）とネットワークを介して通信するためのインターフェースであり、イーサネット（登録商標）、Ｂｌｕｅｔｏｏｔｈ(登録商標)、ＩＥＥＥ８０２．１１（Ｗｉ−Ｆｉ）、ＨｏｍｅＲＦ（Ｈｏｍｅ  Ｒａｄｉｏ  Ｆｒｅｑｕｅｎｃｙ）、ＩｒＤＡ（Ｉｎｆｒａｒｅｄ  Ｄａｔ  ａ  Ａｓｓｏｃｉａｔｉｏｎ）、トークンリング、ＦＤＤＩ（Ｆｉｂｅｒ−ｄｉｓｔｒｉｂｕｔｅｄ  ｄａｔａ  ｉｎｔｅｒｆａｃｅ）等の規格が用いられる。また、ＵＳＢ通信のためのインターフェースが設けられてもよい。
【００４３】
以上のようなハードウェア構成からなる画像形成装置１は、図２に示すとおり、表示操作部６０と、入力決定部７０とを有する。
【００４４】
表示操作部６０は、ユーザーからのタッチパネル３０への入力を受け付ける入力受付部６１と、ディスプレイ２０の表示を制御する表示制御部６２とを有する。
【００４５】
入力受付部６１は、タッチパネル３０へのタッチ位置を特定し、そのタッチ位置の移動動作に応じて、ユーザーからの指示を判定する。
【００４６】
表示制御部６２は、ディスプレイ２０の表示画面に複数の選択項目を表示する。ここで、選択項目には、仮名文字における五十音図の「あ」段の文字（「あ」「か」「さ」等）、各種機能項目（「印刷」「コピー」「スキャン」「ファクシミリ」等）、各種設定項目（「用紙サイズ」「カラー／モノクロ」「倍率」「片面／両面」等）が含まれる。
【００４７】
さらに、表示制御部６２は、入力候補展開部６３としての機能を有する。入力候補展開部６３は、ディスプレイ２０の表示画面に表示された一つの選択項目上をタッチする操作がタッチパネル３０に対してなされたときに、その選択項目に予め対応付けられている複数の小項目を、選択可能な形態（十字キー等）により展開する。以下では、同一の選択項目に対応付けられている各小項目を「入力候補」と称し、全小項目をまとめて「入力候補群」と総称する。
【００４８】
また、入力候補展開部６３は、ディスプレイ２０の表示画面に表示された少なくとも二つの選択項目に跨ってタッチする操作がタッチパネル３０に対してなされた場合には、各選択項目のそれぞれに対応する複数の入力候補群を、選択可能な形態により展開する。なお、二つの選択項目間にタッチする操作がタッチパネル３０に対してなされた場合にも、各選択項目のそれぞれに対応する複数の入力候補群を展開するようにしてもよい。
【００４９】
入力決定部７０は、ディスプレイ２０の表示画面に単一の入力候補群が展開された状態において、ユーザーによるタッチ位置の移動動作がなされた場合には、その移動動作に応じて、当該入力候補群の中から一つの入力候補を入力として決定する。また、入力決定部７０は、複数の入力候補群が展開された状態において、ユーザーによるタッチ位置の移動動作がなされた場合には、その移動動作に応じて、いずれか一つの入力候補群の中から一つの入力候補を入力として決定する。
【００５０】
なお、上記の表示操作部６０（入力受付部６１、表示制御部６２、入力候補展開部６３）と、入力決定部７０は、ＣＰＵ１１が、ストレージ１３にインストールされているＯＳやプログラムをメモリー１２に読み出して実行することにより実現される。
【００５１】
次に、画像形成装置１の動作について説明する。
【００５２】
＜文字入力処理＞
図３は、文字入力処理の手順を示すフローチャートである。また、図４Ａ〜Ｅは、それぞれ、文字入力処理に従って遷移するディスプレイ２０の画面例を示す図である。図４Ａは、初期状態の入力画面例である。図４Ｂは、一つの選択項目にタッチする操作がなされたときの入力画面例である。図４Ｃは、複数の選択項目に跨ってタッチする操作がなされたときの入力画面例である。図４Ｄは、一つの入力候補群の中から一つの入力候補を選択する操作がなされたときの入力画面例である。図４Ｅは、入力文字が決定したときの入力画面例である。
【００５３】
画像形成装置１は、文字入力を開始する指示をユーザーから受け付けると、図３に示す文字入力処理を開始する。ただし、文字入力処理を開始するタイミングは、これに限らず、電源投入時などに開始してもよい。
【００５４】
（ステップＳ１０１）
文字入力処理が開始されると、画像形成装置１は、表示制御部６２として機能し、初期状態の入力画面をディスプレイ２０に表示する。このとき、初期状態の入力画面には、たとえば、図４Ａに示すように、少なくとも文字入力領域２１および選択項目２２が設けられる。文字入力領域２１は、文字を入力するためのボックスにより構成される。選択項目２２は、仮名文字における五十音図の各行の先頭文字（「あ」「か」「さ」等）ごとに割り当てられたボタンにより構成される。
【００５５】
（ステップＳ１０２）
画像形成装置１は、入力受付部６１として機能し、ユーザーによりタッチパネル３０への操作がなされたか否か判別する。具体的には、画像形成装置１は、タッチパネル３０が出力するタッチ位置の座標（信号）を検知したとき、タッチパネル３０への操作がなされたと判定する。一方、画像形成装置１は、タッチ位置の座標を検知できないとき、タッチパネル３０への操作がなされていないと判定する。
【００５６】
画像形成装置１は、タッチパネル３０への操作がなされていないと判定された場合には（ステップＳ１０２：ＮＯ）、タッチパネル３０への操作がなされるまでステップＳ１０２の判別を繰り返す。そして、画像形成装置１は、タッチパネル３０への操作がなされたと判定された場合には（ステップＳ１０２：ＹＥＳ）、処理をステップＳ１０３へ移行する。
【００５７】
（ステップＳ１０３）
画像形成装置１は、入力受付部６１として機能し、ステップＳ１０２においてなされた操作が、単独の選択項目２２を選択する操作か否か判別する。具体的には、画像形成装置１は、ステップＳ１０２において検知されたタッチ位置の座標が、図４Ｂに示す選択項目２２のうちいずれか一つの選択項目２２上にあるか否か判別する。たとえば、ステップＳ１０２において検知されたタッチ位置の座標が、タ行の先頭文字「た」が割り当てられたボタン（図４Ｂの破線により囲まれたボタン）の範囲内にある場合には、単独の選択項目２２を選択するための操作がなされたと判定する。
【００５８】
一方、画像形成装置１は、ステップＳ１０２において検知されたタッチ位置の座標が、少なくとも二つの選択項目２２に跨っている場合（タッチパネル３０がマルチタッチパネルの場合）には、単独の選択項目２２を選択する操作ではないと判定する。すなわち、図４Ｃに示すような複数の選択項目２２（図４Ｃの破線により囲まれたボタン）に指９０が跨ってタッチするような操作であると判定する。また、画像形成装置１は、ステップＳ１０２において検知されたタッチ位置の座標が、少なくとも二つの選択項目２２間にある場合に、単独の選択項目２２を選択する操作ではないと判定してもよい。
【００５９】
画像形成装置１は、単独の選択項目を選択する操作がなされたと判定した場合には（ステップＳ１０３：ＹＥＳ）、処理をステップＳ１０４に進める。一方、画像形成装置１は、単独の選択項目を選択する操作がなされていないと判定した場合には（ステップＳ１０３：ＮＯ）、複数候補群表示処理（Ｓ２００）へ処理を進める。なお、複数候補群表示処理の詳細については後述する。
【００６０】
（ステップＳ１０４）
画像形成装置１は、入力候補展開部６３として機能し、ステップＳ１０３において選択された単独の選択項目２２に予め対応付けられている入力候補群２３を展開（表示）する。具体的には、画像形成装置１は、図４Ｂに示すような十字キーの形状を有する入力候補群２３を、ディスプレイ２０の所定位置に表示させる。
【００６１】
（ステップＳ１０５）
画像形成装置１は、入力受付部６１として機能し、ユーザーのタッチ位置を移動させるスライド操作がなされたか否か判別する。具体的には、画像形成装置１は、タッチパネル３０において検知されたタッチ位置の座標が推移している場合には、スライド操作がなされたと判定する。一方、タッチパネル３０において検知されたタッチ位置の座標が、所定期間以上留まっている場合には、スライド操作はなされていないと判定する。
【００６２】
画像形成装置１は、スライド操作がなされていないと判定した場合には（ステップＳ１０５：ＮＯ）、ステップＳ１０６、Ｓ１０７の処理を省略して、処理をステップＳ１０８に進める。一方、画像形成装置１は、スライド操作がなされたと判定した場合には（ステップＳ１０５：ＹＥＳ）、処理をステップＳ１０６に進める。
【００６３】
（ステップＳ１０６）
画像形成装置１は、入力候補展開部６３として機能し、ステップＳ１０５においてなされたスライド操作の方向にある入力候補を強調表示する。たとえば、画像形成装置１は、図４Ｄに示すように、スライド操作の方向（指９０の移動方向）が紙面左方向（図中の矢印方向）である場合には、そのスライド操作の方向にある「と」という入力候補を強調表示する。
【００６４】
（ステップＳ１０７）
画像形成装置１は、入力受付部６１として機能し、ステップＳ１０５においてなされたスライド操作が終了したか否か判別する。具体的には、画像形成装置１は、タッチパネル３０が出力するタッチ位置の座標（信号）を検知できない場合に、タッチパネル３０から指９０が離されたとみなし、スライド操作が終了したと判定する。一方、画像形成装置１は、タッチパネル３０が出力するタッチ位置の座標（信号）を検知し続けている場合には、スライド操作は終了していないと判定する。
【００６５】
画像形成装置１は、スライド操作が終了していないと判定した場合には（ステップＳ１０７：ＮＯ）、処理をステップＳ１０６に戻して入力候補の強調表示を継続する。一方、画像形成装置１は、スライド操作が終了したと判定した場合には（ステップＳ１０７：ＹＥＳ）、処理をステップＳ１０８に進める。
【００６６】
（ステップＳ１０８）
画像形成装置１は、入力決定部７０として機能し、ステップＳ１０５においてなされたスライド操作（タッチ位置の移動動作）に応じて、入力候補群２３から一つの入力候補を入力として決定する。具体的には、画像形成装置１は、スライド操作の終了直前まで強調表示していた入力候補（図４Ｄに示す例では「と」）を、入力として決定する。
【００６７】
（ステップＳ１０９）
画像形成装置１は、表示制御部６２として機能し、ステップＳ１０８において入力として決定された入力候補を、図４Ｅに示すように文字入力領域２１に表示する。これとともに、画像形成装置１は、入力候補展開部６３として機能し、入力候補群２３を非表示にする。
【００６８】
その後、画像形成装置１は、文字入力処理を終了する。
【００６９】
＜第１実施形態に係る複数候補群表示処理＞
図５は、第１実施形態に係る複数候補群表示処理の手順を示すフローチャートである。また、図６Ａ〜Ｂは、それぞれ、第１実施形態に係る複数候補群表示処理に従って遷移するディスプレイ２０の画面例を示す図である。図６Ａは、複数の入力候補群の中から一つの入力候補を選択する操作がなされたときの入力画面例である。図６Ｂは、入力文字が決定したときの入力画面例である。
【００７０】
上述したように、画像形成装置１は、文字入力処理のステップＳ２００に処理が移行すると、図５に示す複数候補分表示処理を開始する。
【００７１】
（ステップＳ２０１）
画像形成装置１は、入力候補展開部６３として機能し、ステップＳ１０３において選択された複数の選択項目２２のそれぞれに予め対応付けられている入力候補群２３を展開（表示）する。具体的には、画像形成装置１は、図６Ａに示すような十字キーの形状を有する複数の入力候補群２３ａ、２３ｂを、ディスプレイ２０の所定位置に表示させる。
【００７２】
（ステップＳ２０２）
画像形成装置１は、入力受付部６１として機能し、ユーザーのタッチ位置を移動させるスライド操作がなされたか否か判別する。具体的には、画像形成装置１は、タッチパネル３０において検知されたタッチ位置の座標が推移している場合には、スライド操作がなされたと判定する。一方、タッチパネル３０において検知されたタッチ位置の座標が、所定期間以上留まっている場合には、画像形成装置１は、スライド操作はなされていないと判定する。あるいは、タッチパネル３０において検知されたタッチ位置の座標が推移することなく、タッチ位置の検知ができなくなった場合も、画像形成装置１は、スライド操作はなされていないと判定する。
【００７３】
画像形成装置１は、スライド操作がなされていないと判定した場合には（ステップＳ２０２：ＮＯ）、ステップＳ２０３〜Ｓ２０５の処理を省略して、処理をステップＳ２０６に進める。一方、画像形成装置１は、スライド操作がなされたと判定した場合には（ステップＳ２０２：ＹＥＳ）、処理をステップＳ２０３に進める。
【００７４】
（ステップＳ２０３）
画像形成装置１は、入力候補展開部６３として機能し、ステップＳ２０２においてなされた１回のスライド操作（すなわち、ユーザーによる単一の移動動作）の方向にある入力候補を強調表示する。たとえば、画像形成装置１は、図６Ａに示すように、スライド操作の始点から終点に向かう方向（指９０の方向）が「ね」に向かう方向（図中の矢印方向）である場合には、そのスライド操作の始点と終点を結ぶ直線上にある「ね」という入力候補を強調表示する。ただし、スライド操作の始点と終点を結ぶ直線上に複数の入力候補が存在する場合（たとえば、図６Ａ中の「に」と「の」）には、そのスライド操作の長さに応じてどの入力候補を強調表示するか適宜選択できるようにする。あるいは、任意の入力候補まで指９０をスライドさせたときに当該入力候補を強調表示してもよい。
【００７５】
（ステップＳ２０４）
画像形成装置１は、入力受付部６１として機能し、ステップＳ２０２においてなされたスライド操作が終了したか否か判別する。具体的には、画像形成装置１は、タッチパネル３０が出力するタッチ位置の座標（信号）を検知できない場合に、タッチパネル３０から指９０が離されたとみなし、スライド操作が終了したと判定する。一方、画像形成装置１は、タッチパネル３０が出力するタッチ位置の座標（信号）を検知し続けている場合には、スライド操作は終了していないと判定する。
【００７６】
画像形成装置１は、スライド操作が終了していないと判定した場合には（ステップＳ２０４：ＮＯ）、処理をステップＳ２０３に戻して入力候補の強調表示を継続する。一方、画像形成装置１は、スライド操作が終了したと判定した場合には（ステップＳ２０４：ＹＥＳ）、処理をステップＳ２０５に進める。
【００７７】
（ステップＳ２０５）
画像形成装置１は、入力決定部７０として機能し、ステップＳ２０２においてなされたスライド操作（タッチ位置の移動動作）に応じて、入力候補群（２３ａまたは２３ｂ）から一つの入力候補を入力として決定する。具体的には、画像形成装置１は、スライド操作の終了直前まで強調表示していた入力候補（図６Ａに示す例では「ね」）を、入力として決定する。
【００７８】
（ステップＳ２０６）
画像形成装置１は、表示制御部６２として機能し、ステップＳ２０５において入力として決定された入力候補を、図６Ｂに示すように文字入力領域２１に表示する。これとともに、画像形成装置１は、入力候補展開部６３として機能し、入力候補群（２３ａおよび２３ｂ）を非表示にする。
【００７９】
その後、画像形成装置１は、複数候補群表示処理を終了して、処理を文字入力処理に戻す。
【００８０】
以上の文字入力処理および複数候補群表示処理が画像形成装置１において実行される。これにより、ユーザーの指９０が複数の選択項目２２に跨ってタッチされた場合には、いずれか一つの選択項目２２に対応する入力候補群２３を展開するだけでなく、タッチされた全ての選択項目２２に対応する入力候補群２３をそれぞれ展開できる。そのため、ユーザーは、展開された全ての入力候補群２３の中から、目的の入力候補を確実に選択でき、展開された入力候補群２３の中に目的の入力候補がないという事態は起こりにくくなる。したがって、ディスプレイ２０の表示画面等の小型化に伴い、選択項目２２の表示サイズを小さくせざるを得ない場合や、選択項目２２を配置する間隔を狭くせざるを得ない場合でも、ユーザーはタッチのやり直し等を行うことなくスムーズに入力操作を行える。
【００８１】
また、第１実施形態では、複数の入力候補群２３が展開された状態において、ユーザーは、単一の移動動作（１回のスライド操作）により入力候補を決定できる。そのため、入力完了までに必要なユーザーの操作数を最小限に抑えることができる。
【００８２】
（第２実施形態）
次に、本発明の第２実施形態に係る画像形成装置１について説明する。以下では、第１実施形態と異なる点を中心に説明する。
【００８３】
第２実施形態に係る画像形成装置１は、第１実施形態とは複数候補群表示処理が異なる。そのため、第２実施形態に関しては、複数候補群表示処理のみを説明する。
【００８４】
＜第２実施形態に係る複数候補群表示処理＞
図７は、第２実施形態に係る複数候補群表示処理の手順を示すフローチャートである。また、図８Ａ〜Ｄは、それぞれ、第２実施形態に係る複数候補群表示処理に従って遷移するディスプレイ２０の画面例を示す図である。図８Ａは、複数の選択項目に跨ってタッチする操作がなされたときの入力画面例である。図８Ｂは、一つの入力候補群を選択する操作がなされたときの入力画面例である。図８Ｃは、選択された一つの入力候補群の中から一つの入力候補を選択する操作がなされたときの入力画面例である。図８Ｄは、入力文字が決定したときの入力画面例である。
【００８５】
第１実施形態と同様に、画像形成装置１は、文字入力処理のステップＳ２００に処理が移行すると、図７に示す複数候補分表示処理を開始する。
【００８６】
（ステップＳ３０１）
画像形成装置１は、入力候補展開部６３として機能し、ステップＳ１０３において選択された複数の選択項目２２のそれぞれに予め対応付けられている入力候補群２３を展開（表示）する。具体的には、画像形成装置１は、図８Ａに示すような十字キーの形状を有する複数の入力候補群２３ａ、２３ｂを、ディスプレイ２０の所定位置に表示させる。
【００８７】
（ステップＳ３０２）
画像形成装置１は、入力受付部６１として機能し、ユーザーのタッチ位置を移動させる第１のスライド操作（第１の移動動作）がなされたか否か判別する。具体的には、画像形成装置１は、タッチパネル３０において検知されたタッチ位置の座標が推移している場合には、第１のスライド操作がなされたと判定する。一方、タッチパネル３０において検知されたタッチ位置の座標が、所定期間以上留まっている場合には、第１のスライド操作はなされていないと判定する。
【００８８】
画像形成装置１は、第１のスライド操作がなされていないと判定した場合には（ステップＳ３０２：ＮＯ）、ステップＳ３０３〜Ｓ３０８の処理を省略して、処理をステップＳ３０９に進める。一方、画像形成装置１は、第１のスライド操作がなされたと判定した場合には（ステップＳ３０２：ＹＥＳ）、処理をステップＳ３０３に進める。
【００８９】
（ステップＳ３０３）
画像形成装置１は、入力候補展開部６３として機能し、ステップＳ３０２においてなされた第１のスライド操作の方向にある入力候補群（２３ａまたは２３ｂ）を選択する。たとえば、画像形成装置１は、図８Ｂに示すように、第１のスライド操作の方向（指９０の方向）が紙面左方向（図中の矢印方向）である場合には、その第１のスライド操作の方向にある入力候補群２３ｂを選択したことを示す表示（「選択表示」と称する）を行う。図８Ｂに示す例では、予め定められた基準の入力候補（たとえば、中心位置の「な」）を強調表示している。
【００９０】
（ステップＳ３０４）
画像形成装置１は、入力受付部６１として機能し、ステップＳ３０２においてなされた第１のスライド操作が終了したか否か判別する。具体的には、画像形成装置１は、タッチパネル３０が出力するタッチ位置の座標（信号）が、所定期間以上留まっている場合に、指９０の移動が停止したとみなし、第１のスライド操作が終了したと判定する。一方、画像形成装置１は、タッチパネル３０が出力するタッチ位置の座標が推移している場合には、指９０の移動は停止しておらず、第１のスライド操作は終了していないと判定する。
【００９１】
画像形成装置１は、第１のスライド操作が終了していないと判定した場合には（ステップＳ３０４：ＮＯ）、処理をステップＳ３０３に戻して入力候補群（２３ａまたは２３ｂ）の選択表示を継続する。一方、画像形成装置１は、第１のスライド操作が終了したと判定した場合には（ステップＳ３０４：ＹＥＳ）、処理をステップＳ３０５に進める。
【００９２】
（ステップＳ３０５）
画像形成装置１は、入力受付部６１として機能し、ユーザーのタッチ位置を新たに移動させる第２のスライド操作（第２の移動動作）がなされたか否か判別する。具体的には、画像形成装置１は、タッチパネル３０において検知されたタッチ位置の座標が推移している場合には、第２のスライド操作がなされたと判定する。一方、タッチパネル３０において検知されたタッチ位置の座標が、所定期間以上留まっている場合には、第２のスライド操作はなされていないと判定する。
【００９３】
画像形成装置１は、第２のスライド操作がなされていないと判定した場合には（ステップＳ３０５：ＮＯ）、ステップＳ３０６〜Ｓ３０７の処理を省略して、処理をステップＳ３０８に進める。一方、画像形成装置１は、第２のスライド操作がなされたと判定した場合には（ステップＳ３０５：ＹＥＳ）、処理をステップＳ３０６に進める。
【００９４】
（ステップＳ３０６）
画像形成装置１は、入力候補展開部６３として機能し、ステップＳ３０３において選択された一つの選択候補群（２３ａまたは２３ｂ）の中から、ステップＳ３０５においてなされた第２のスライド操作の方向にある入力候補を強調表示する。たとえば、画像形成装置１は、図８Ｃに示すように、第２のスライド操作の方向（指９０の方向）が紙面上方向（図中の矢印方向）である場合には、そのスライド操作の方向にある「ね」という入力候補を強調表示する。
【００９５】
（ステップＳ３０７）
画像形成装置１は、入力受付部６１として機能し、ステップＳ３０５においてなされた第２のスライド操作が終了したか否か判別する。具体的には、画像形成装置１は、タッチパネル３０が出力するタッチ位置の座標（信号）が、所定期間以上留まっている場合に、指９０の移動が停止したとみなし、第２のスライド操作が終了したと判定する。一方、画像形成装置１は、タッチパネル３０において検知されたタッチ位置の座標が推移している場合には、指９０の移動は停止しておらず、第２のスライド操作は終了していないと判定する。
【００９６】
画像形成装置１は、第２のスライド操作が終了していないと判定した場合には（ステップＳ３０７：ＮＯ）、処理をステップＳ３０６に戻して入力候補の強調表示を継続する。一方、画像形成装置１は、第２のスライド操作が終了したと判定した場合には（ステップＳ３０７：ＹＥＳ）、処理をステップＳ３０８に進める。
【００９７】
（ステップＳ３０８）
画像形成装置１は、入力決定部７０として機能し、ステップＳ３０６において強調表示された一つの入力候補を入力として決定する。具体的には、画像形成装置１は、第２のスライド操作の終了直前まで強調表示していた入力候補（図８Ｃに示す例では「ね」）を、入力として決定する。
【００９８】
（ステップＳ３０９）
画像形成装置１は、表示制御部６２として機能し、ステップＳ３０８において入力として決定された入力候補を、図８Ｄに示すように文字入力領域２１に表示する。これとともに、画像形成装置１は、入力候補展開部６３として機能し、入力候補群（２３ａおよび２３ｂ）を非表示にする。
【００９９】
その後、画像形成装置１は、複数候補群表示処理を終了して、処理を文字入力処理に戻す。
【０１００】
以上のように、第１実施形態に係る文字入力処理および第２実施形態に係る複数候補群表示処理が画像形成装置１において実行される。これにより、ユーザーの指９０が複数の選択項目２２に跨ってタッチされた場合には、いずれか一つの選択項目２２に対応する入力候補群２３を展開するだけでなく、タッチされた全ての選択項目２２に対応する入力候補群２３をそれぞれ展開できる。そのため、ユーザーは、展開された全ての入力候補群２３の中から、目的の入力候補を確実に選択でき、展開された入力候補群２３の中に目的の入力候補がないという事態は起こりにくくなる。したがって、ディスプレイ２０の表示画面等の小型化に伴い、選択項目２２の表示サイズを小さくせざるを得ない場合や、選択項目２２を配置する間隔を狭くせざるを得ない場合でも、ユーザーはタッチのやり直し等を行うことなくスムーズに入力操作を行える。
【０１０１】
また、第２実施形態では、複数の入力候補群２３が展開された状態において、ユーザーは、第１、第２の移動動作（２回のスライド操作）により入力候補を決定できる。すなわち、第１の移動動作により選択対象の入力候補を絞り、その中から第２の移動動作によって最終的に入力する入力候補を決定している。そのため、第１実施形態よりもユーザーの入力操作が誤認識されなくなる。
【０１０２】
なお、上記した各フローチャートの各処理単位は、画像形成装置１の理解を容易にするために、主な処理内容に応じて分割したものである。処理ステップの分類の仕方やその名称によって、本願発明が制限されることはない。画像形成装置１で行われる処理は、さらに多くの処理ステップに分割することもできる。また、１つの処理ステップが、さらに多くの処理を実行してもよい。
【０１０３】
＜変形例＞
また、上記の実施形態は、本発明の要旨を例示することを意図し、本発明を限定するものではない。多くの代替物、修正、変形例は当業者にとって明らかである。
【０１０４】
たとえば、ユーザーによるタッチ位置の特定の移動動作により、入力をキャンセルできるようにしてもよい。
【０１０５】
図９Ａは、入力のキャンセル方法１について説明するための図である。また、図９Ｂは、キャンセル後の入力画面例である。
【０１０６】
キャンセル方法１は、第２実施形態に係る複数候補群表示処理において、第２のスライド操作の方向にある入力候補が強調表示された後（ステップＳ３０６の後）に入力をキャンセルする場合に適用される。したがって、キャンセル方法１では、画像形成装置１は、ステップＳ３０６の後に、ユーザーによる特定の移動動作がなされたか否か判別する。具体的には、図９Ａに示すように、画像形成装置１は、ユーザーによるタッチ位置の移動距離が所定量以上となる場合に、入力をキャンセルするための特定の移動動作と判定する。図９Ａに示す例では、ステップＳ３０６において「ね」が入力候補として強調表示されており、さらに指９０が紙面上方向（図中の最長の矢印方向）に動かされたときにキャンセルの指示とみなしている。キャンセル後には、図９Ｂに示すように、画像形成装置１は、文字入力領域２１に文字を入力せず、入力候補群（２３ａおよび２３ｂ）を非表示にする。以上のような直観的、かつ、簡単な操作によって、文字の入力（選択）をキャンセルできる。
【０１０７】
また、図１０は、入力のキャンセル方法２について説明するための図である。キャンセル方法２では、図１０に示すように、表示画面の所定位置（たとえば、一方の入力候補群２３ａの一部分）にキャンセルボタン２４を設ける。そして、画像形成装置１は、第２実施形態に係る複数候補群表示処理の途中において、ユーザーによるタッチ位置をキャンセルボタン２４に向けて移動させる動作がなされたときに、キャンセルの指示とみなす。キャンセル方法２を採用する場合でも、キャンセル後には、図９Ｂに示すように、画像形成装置１は、文字入力領域２１に文字を入力せず、入力候補群（２３ａおよび２３ｂ）を非表示にする。以上のような方法によっても、直観的、かつ、簡単な操作によって、文字の入力（選択）をキャンセルできる。
【０１０８】
また、上記のキャンセル方法１およびキャンセル方法２は、上記第２実施形態に限らず、上記第１実施形態に適用してもよい。
【０１０９】
また、上記第２の実施形態では、複数の入力候補群（２３ａおよび２３ｂ）の中から一つの入力候補群（２３ａまたは２３ｂ）を第１のスライド操作によって選択している（ステップＳ３０３）。このとき、画像形成装置１は、第１のスライド操作（第１の移動動作）により選択された入力候補群（２３ａまたは２３ｂ）の表示形態と、第１のスライド操作により選択されなかった入力候補群（２３ｂまたは２３ａ）の表示形態とを異ならせている。
【０１１０】
図１１Ａは、選択された入力候補群の表示濃度を濃くしたときの入力画面例である。図１１Ａに示すように、画像形成装置１は、第１のスライド操作により選択された入力候補群２３ｂの表示濃度を、第１のスライド操作により選択されなかった入力候補群２３ａの表示濃度よりも濃くしてもよい。
【０１１１】
また、図１１Ｂは、選択された入力候補群の表示サイズを大きくしたときの入力画面例である。図１１Ｂに示すように、画像形成装置１は、第１のスライド操作により選択された入力候補群２３ｂの表示サイズを、第１のスライド操作により選択されなかった入力候補群２３ａの表示サイズよりも大きくしてもよい。
【０１１２】
また、画像形成装置１は、第１のスライド操作により選択された入力候補群２３ｂを、第１のスライド操作により選択されなかった入力候補群２３ａよりも、表示濃度を濃くし、かつ、表示サイズを大きくしてもよい。
【０１１３】
また、画像形成装置１は、第１のスライド操作により選択されなかった入力候補群２３ａのみをグレイアウト表示してもよい。
【０１１４】
また、上記各実施形態では、入力候補群（２３ａ、２３ｂ）は十字キーの形状を有している。しかし、本発明は、これに限定されない。
【０１１５】
図１２Ａは、入力候補群（２３ａ、２３ｂ）の変形例１を示す図である。図１２Ａに示すように、入力候補群（２３ａ、２３ｂ）は、扇状に表示されてもよい。そして、図１２Ｂは、変形例１の入力候補群の中から一つの入力候補を選択するときの入力画面例である。図１２Ｂに示すように、入力候補群（２３ａ、２３ｂ）が扇状である場合であっても、画像形成装置１は、一つの選択候補群（２３ａまたは２３ｂ）の中から、第２のスライド操作の方向にある入力候補を強調表示し、その後、入力として決定する。
【０１１６】
また、図１３Ａは、入力候補群の変形例２を示す図である。図１３Ａに示すように、入力候補群（２３ａ、２３ｂ）は、花びら状（放射状）に表示されてもよい。そして、図１３Ｂは、変形例２の入力候補群の中から一つの入力候補を選択するときの入力画面例である。図１３Ｂに示すように、入力候補群（２３ａ、２３ｂ）が花びら状である場合であっても、画像形成装置１は、一つの選択候補群（２３ａまたは２３ｂ）の中から、第２のスライド操作の方向にある入力候補を強調表示し、その後、入力として決定する。このとき、タッチ位置を基準として入力候補群を花びら状（放射状）に表示すると、操作性をより向上させることができる。
【０１１７】
以上の画像形成装置１の構成は、上記各実施形態および各変形例の特徴を説明するにあたって主要構成を説明したのであって、上記の構成に限られない。また、一般的な画像形成装置１が備える構成を排除するものではない。
【０１１８】
また、上記した制御装置１０の処理は、専用のハードウェア回路によっても実現することもできる。この場合には、１つのハードウェアで実行されてもよいし、複数のハードウェアで実行されてもよい。
【０１１９】
また、画像形成装置１を動作させるプログラムは、ＵＳＢメモリー、フレキシブルディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリー１２やストレージ１３等に転送され記憶される。また、このプログラムは、たとえば、単独のアプリケーションソフトとして提供されてもよいし、画像形成装置１の一機能としてソフトウェアに組み込んでもよい。
【符号の説明】
【０１２０】
１  画像形成装置、
１０  制御装置、
１１  ＣＰＵ、
１２  メモリー、
１３  ストレージ、
２０  ディスプレイ、
２１  文字入力領域、
２２  選択項目、
２３、２３ａ、２３ｂ  入力候補群、
２４  キャンセルボタン、
３０  タッチパネル、
４０  外部Ｉ／Ｆ、
６０  表示操作部、
６１  入力受付部、
６２  表示制御部、
６３  入力候補展開部、
７０  入力決定部。
【図１】
2015146082.tif 000003
【図２】
2015146082.tif 000004
【図３】
2015146082.tif 000005
【図４Ａ】
2015146082.tif 000006
【図４Ｂ】
2015146082.tif 000007
【図４Ｃ】
2015146082.tif 000008
【図４Ｄ】
2015146082.tif 000009
【図４Ｅ】
2015146082.tif 000010
【図５】
2015146082.tif 000011
【図６Ａ】
2015146082.tif 000012
【図６Ｂ】
2015146082.tif 000013
【図７】
2015146082.tif 000014
【図８Ａ】
2015146082.tif 000015
【図８Ｂ】
2015146082.tif 000016
【図８Ｃ】
2015146082.tif 000017
【図８Ｄ】
2015146082.tif 000018
【図９Ａ】
2015146082.tif 000019
【図９Ｂ】
2015146082.tif 000020
【図１０】
2015146082.tif 000021
【図１１Ａ】
2015146082.tif 000022
【図１１Ｂ】
2015146082.tif 000023
【図１２Ａ】
2015146082.tif 000024
【図１２Ｂ】
2015146082.tif 000025
【図１３Ａ】
2015146082.tif 000026
【図１３Ｂ】
2015146082.tif 000027